(57)【特許請求の範囲】
【請求項１】
上方に膨出する複数のビードを備えたベースと、吸込口と吹出口とを形成し前記ベースに被着される外胴とで外郭筐体を構成し、前記吹出口に臨んで送風ファンを設け、前記ベースの前面側に圧縮機を配置する一方、同圧縮機の背面側に、台座と同台座の長手方向の両側から折曲されたフランジからなる支持脚を夫々備えたアキュムレータとレシーバタンクとを配設し、同アキュムレータとレシーバタンクとを囲むように、前記ベース上に熱交換器を配置してなる空気調和機の室外機において、
前記アキュムレータと前記レシーバタンクを前記ベース上に固定するための矩形状の支持プレートを備え、同支持プレートは前記ベースの前後方向に形成された複数のビードを跨ぐように前記ベースに固定され、同支持プレート上に、前記アキュムレータの支持脚の長手方向に形成されたフランジの面が前記ベースの前後方向に面するように固定する一方、前記レシーバタンクの支持脚の長手方向に形成されたフランジの面が前記ベースの左右方向に面するように固定したことを特徴とする空気調和機の室外機。
【請求項２】
前記複数のビードにおいて３箇所のビードに前記支持プレートが固定され、前記３箇所のビードの内、２箇所のビードを跨ぐように前記アキュムレータが配置され、残り１箇所のビード上に前記レシーバタンクを配置したことを特徴とする請求項１に記載の空気調和機の室外機。
【発明の詳細な説明】
【技術分野】
【０００１】
本発明は、空気調和機の室外機に関わり、より詳細にはアキュムレータとレシーバタンクの配置構造に関するものである。
【背景技術】
【０００２】
複数の室内機が配管接続された空気調和機の室外機は、ベース上に立設された外胴の側面及び背面に吸込口を形成するとともに、外胴の上面に送風ファンを備えた吹出口を形成している。外胴内部のベース中央には圧縮機が設けられ、同圧縮機を囲むように熱交換器が設けられるとともに、圧縮機と熱交換器との間にはアキュムレータが設けられている。また、アキュムレータと並んで、冷媒を一時的に貯留するレシーバタンクが設けられるものもある。
【０００３】
例えば特許文献１で示す空気調和機の室外機は、外胴に囲まれたベース上に圧縮機とともにアキュムレータを配置している。アキュムレータは方形状の台座を介してベースに固定されるようになっているが、圧縮機から発生する振動がアキュムレータに伝搬すると、ベース及び外胴から振動音が発生する場合があった。
【０００４】
特許文献２で示す空気調和機の室外機は、ベース上に３本のビードを形成し、３本のビードの内、両端の２本のビードの高さを中央部のビードより若干低く形成している。ビード上には、平板上に形成された支持台が螺子止めにより固定されるとともに、支持台上にはアキュムレータが固定されるようになっている。支持台の両側が下方に撓むようにベース上に固定されることにより支持台を止める両側の螺子止めの締付トルクが大きくなり、アキュムレータに振動が発生しても、これを安定的にベース上に保持する一方、振動音の発生を抑制することができるようになっている。
【０００５】
しかしながら、ベース上に、アキュムレータとともにレシーバタンクを並べて圧縮機の背面側に配置すると、圧縮機から発生する振動が配管等を介してアキュムレータとレシーバタンク両者とに伝搬する。上記した例のように、アキュムレータとレシーバタンクとを載置する支持台を設けると、支持台が大きくなるとともに、支持台の両側が下方に撓むようにベース上に固定することは困難であり、専用のベースを新たに設けることが必要となっていた。
【先行技術文献】
【特許文献】
【０００６】
【特許文献１】特開２００３−１３０３９４号（３頁、図１）
【特許文献２】特開２００８−１５１４９４号（５頁、図１）
【発明の概要】
【発明が解決しようとする課題】
【０００７】
本発明は、上記問題点に鑑み、アキュムレータとレシーバタンクとを配置しても、アキュムレータとレシーバタンクを夫々配置するベースを共通化でき、狭いスペースでも配置すること及びこれらアキュムレータとレシーバタンクとに発生する振動を抑制することのできる空気調和機の室外機を提供することを目的とする。
【課題を解決するための手段】
【０００８】
本発明は、上記課題を解決するため、上方に膨出する複数のビードを備えたベースと、吸込口と吹出口とを形成し前記ベースに被着される外胴とで外郭筐体を構成し、前記吹出口に臨んで送風ファンを設け、前記ベースの前面側に圧縮機を配置する一方、同圧縮機の背面側に、台座と同台座の長手方向の両側から折曲されたフランジからなる支持脚を夫々備えたアキュムレータとレシーバタンクとを配設し、同アキュムレータとレシーバタンクとを囲むように、前記ベース上に熱交換器を配置してなる空気調和機の室外機において、前記アキュムレータと前記レシーバタンクを前記ベース上に固定するための矩形状の支持プレートを備え、同支持プレートは前記ベースの前後方向に形成された複数のビードを跨ぐように前記ベースに固定され、同支持プレート上に、前記アキュムレータの支持脚の長手方向に形成されたフランジの面が前記ベースの前後方向に面するように固定する一方、前記レシーバタンクの支持脚の長手方向に形成されたフランジの面が前記ベースの左右方向に面するように固定した構成となっている。
【０００９】
また、前記複数のビードにおいて３箇所のビードに前記支持プレートが固定され、前記３箇所のビードの内、２箇所のビードを跨ぐように前記アキュムレータが配置され、残り１箇所のビード上に前記レシーバタンクを配置した構成となっている。
【発明の効果】
【００１０】
本発明によれば、支持プレート上に、アキュムレータの支持脚とレシーバタンクの支持脚とが、長手方向が直交するように固定されることにより、アキュムレータとレシーバタンクとが同方向に振動することを抑制でき、ベースに掛かる応力を低減できるとともに、振動音発生を抑制することができるようになっている。また、支持プレートを拡幅することなくアキュムレータとレシーバタンクとを配置できるようになっている。
【００１１】
また、３箇所のビードの内、２箇所が前記アキュムレータの荷重を受け、残り１箇所が前記レシーバタンクの荷重を受けることにより、ベースに掛かる荷重を分散できるようになっている。
【図面の簡単な説明】
【００１２】
【図１】本発明による空気調和機の室外機を示す外観斜視図である。
【図２】本発明による空気調和機の室外機の内部構造を示す前面側からの斜視図である。
【図３】本発明による空気調和機の室外機の内部構造を示す後面側からの斜視図である。
【図４】アキュムレータとレシーバタンクの固定構造を示す要部斜視図である。
【図５】ベースを示す斜視図である。
【図６】支持プレートを示す斜視図である。
【図７】支持プレートのベースへの取付を示す斜視図である。
【図８】アキュムレータとレシーバタンクとの上部連結を示す斜視図である。
【発明を実施するための形態】
【００１３】
以下、本発明の実施の形態を、添付図面に基づいた実施例として詳細に説明する。
【実施例１】
【００１４】
本発明による空気調和機の室外機は、図１の外観斜視図で示すように、底板を構成するベース１と、同ベース１を覆う外胴２とで外郭筐体を構成している。ベース１の前後には前部脚１ｇと後部脚１ｈとが設けられ、外胴２は、前面側に配置された前面上部パネル３ａ及び前面下部パネル３ｂと、右側面に配置された右側パネル４と、図示しない左側パネルと、前面側支柱６及び後面側支柱７と、上部を覆う天板５とで構成されている。また、前面下部パネル３ｂの下部一側には、図示しない配管接続部を覆う配管カバー１１が着脱自在に設けられている。
【００１５】
右側パネル４には吸込口８が形成され、外胴２の背面側には図示しない吸込口が形成されている。天板５には中央部に円形状に形成され、ファンガード９ａで覆われた吹出口９が形成され、同吹出口９に臨んで後述する送風ファン１０が設けられている。吸込口８及び背面側の吸込口から吸込まれた空気は、後述する熱交換器１２を通過して冷媒と熱交換され、送風ファン１０により吹出口９から上方に向かい吹出されるようになっている。
【００１６】
次に、内部構成について説明する。図２で示すように、ベース１上の前面側には、後述する圧縮機１４を収納する圧縮機ボックス１３が設けられ、同圧縮機ボックス１３の上方には、電子部品を搭載した制御基板１５ａを備えた制御部１５が設けられている。また、ベース１上には右側パネル４及び背面側にそって略コ字状に形成された熱交換器１２が設けられている。同熱交換器１２は多数のフィンと、同フィンに直交するように蛇行状に配設された伝熱管とからなるフィンチューブ型熱交換器である。また、上部には送風ファン１０が設けられ、これの下部には同送風ファンを駆動するファンモータ１０ａが設けられている。
【００１７】
熱交換器１２を外した状態を示す図３の後方からの斜視図のように、ベース１の後方には、圧縮機１４の背面側にアキュムレータ１６とレシーバタンク１７とが並んで配置されており、アキュムレータ１６とレシーバタンク１７からは圧縮機１４等に接続される配管類が導出されている。アキュムレータ１６はレシーバタンク１７より径が大きく、また、重量が大きくなっている。また、アキュムレータ１６の上部には後述する第一固定具１９が接合されており、レシーバタンク１７の上部には後述する第二固定具２０が接合されており、これら第一固定具１９と第二固定具２０とは連結され、これによりアキュムレータ１６とレシーバタンク１７の上部が固定されるようになっている。
【００１８】
アキュムレータ１６の下部には断面コ字状に形成された支持脚１６ａが設けられ、同様に、レシーバタンク１７の下部には断面コ字状に形成された支持脚１７ａが設けられている。アキュムレータ１６は支持脚１６ａを介して、ベース１上に固定された後述する支持プレート１８上に配置され、同様に、レシーバタンク１７も支持脚１７ａを介してベース１上に固定された支持プレート１８上に配置されるようになっている。
【００１９】
図４の要部詳細図で示すように、アキュムレータ１６を支持する支持脚１６ａは、アキュムレータ１６を載置する平板状の台座１６ａ−１と、同台座１６ａ−１の長手方向の両側から下方に折曲されたフランジ１６ａ−２及びフランジ１６ａ−３とからなり、これらフランジ１６ａ−２及びフランジ１６ａ−３が支持プレート１８に固定されるようになっている。
【００２０】
レシーバタンク１７を支持する支持脚１７ａは、支持プレート１８上に螺子止固定される底面部１７ａ−１と、同底面部１７ａ−１の長手方向の両側から上方に折曲されたフランジ１７ａ−２及びフランジ１７ａ−３とからなっている。
【００２１】
図４で示すように、アキュムレータ１６の支持脚１６ａは、同支持脚１６ａの長手方向に沿って形成されたフランジ１６ａ−２及びフランジ１６ａ−２の夫々の面が前記ベース１の前後方向に面するように固定される一方、前記レシーバタンク１７の支持脚１７ａは、同支持脚１７ａの長手方向に沿って形成されたフランジ１７ａ−２及び１７ａ−３の夫々の面が前記ベース１の左右方向に面するように固定されている。つまり、支持プレート１８上に固定されるアキュムレータ１６の支持脚１６ａとレシーバタンク１７の支持脚１７ａとは、これらの長手方向が直交するように支持プレート１８上に固定されるようになっている。これにより、アキュムレータ１６とレシーバタンク１７とが同方向に振動することを防止できるとともに、振動音発生を抑制することができるようになっている。
【００２２】
次に、ベース１の構成について説明する。板金からなるベース１は図５の斜視図で示すように、矩形状に形成された底板部１ａの周縁にフランジ１ｂを立設している。底面部１ａには複数のビードが形成され、中央部には、上方に膨出するように第一ビード１ｃと第二ビード１ｄと、第三ビード１ｅからなる３箇所のビードが前後方向に沿って平行して形成されており、これらの上面には複数の螺子孔が設けられている。また、これら第一ビード１ｃと第二ビード１ｄと、第三ビード１ｅの前後方向の長さは、後述する支持プレート１８の短手方向の幅寸法より大きく形成されている。
【００２３】
支持プレート１８は板金からなり、図６に示すように、横長矩形状に形成されている。基部１８ａの中央部には下方に窪むビード１８ｂが形成されており、同ビード１８ｂにより支持プレート１８の上下方向に対する圧縮力に対する強度を保持することができるようになっている。また、基部１８ａの周縁は下方に湾曲するようにフランジ１８ｃが形成され、同フランジ１８ｃには水平方向に折曲され螺子挿通孔を備えた固定用フランジ１８ｄが複数延出されている。
【００２４】
次に、支持プレート１８のベース１への取付について説明する。図７に示すように、支持プレート１８はベース１に形成された第一ビード１ｃと第二ビード１ｄと、第三ビード１ｅを跨ぐように、且つ、これらビードの長手方向と直交するように配置されるようになっている。前述した複数の固定用フランジ１８ｄの螺子挿通孔と第一ビード１ｃ、第二ビード１ｄ、第三ビード１ｅに形成された螺子孔とを一致させ、図示しない複数の螺子を固定用フランジ１８ｄの螺子挿通孔に挿通させ、第一ビード１ｃ、第二ビード１ｄ、第三ビード１ｅに形成された螺子孔２１に夫々螺合させることにより支持プレート１８はベース１に固定されるようになっている。また、支持プレート１８の後方に形成された固定用フランジ１８ｄも同様にして螺子孔２１に螺着されるようになっている。
【００２５】
支持プレート１８が、第一ビード１ｃ、第二ビード１ｄ、第三ビード１ｅを跨ぐように、また、これら第一ビード１ｃ、第二ビード１ｄ、第三ビード１ｅの長手方向と直交するように配置されることによりベース１の強度が向上するようになっている。
【００２６】
支持プレート１８上にアキュムレータ１６とレシーバタンク１７とがアキュムレータ支持脚１６ａとレシーバタンク支持脚１７ａを介して固定されると、第一ビード１ｃと第二ビード１ｄがアキュムレータ１６からの荷重を受け、第三ビード１ｅがレシーバタンク１７からの荷重を受けるようになっている。レシーバタンク１７より重量が大きいアキュムレータ１６の荷重を第一ビード１ｃと第二ビード１ｄで受けることにより、これらアキュムレータ１６とレシーバタンク１７とをベース１上に安定的に保持することができるようになっており、ベース１に掛かる荷重を分散できるようにしている。
【００２７】
また、図８に示すように、アキュムレータ１６の上部側面には、係止爪１９ａを上方に向け突出させた断面コ字状の第一固定具１９が溶接により接合され、レシーバタンク１７の上部側面には、第一固定具１９と対向するように、同第一固定具１９の係止爪１９ａが係合する切欠き２０ａを形成した第二固定具２０が溶接により接合されている。
【００２８】
アキュムレータ１６とレシーバタンク１７とが支持プレート１８上に固定されると、第一固定具１９の係止爪１９ａが第二固定具２０の切欠き２０ａに係合するようになっており、これによりアキュムレータ１６の上部とレシーバタンク１７の上部とが連結され、振動に対する耐性を高めるようになっている。
【００２９】
また、支持プレート１８上には、アキュムレータ１６の支持脚１６ａとレシーバタンク１７の支持脚１７ａとが、長手方向が直交するように固定されることにより、アキュムレータ１６とレシーバタンク１７とが同方向に振動することを抑制でき、ベース１に掛かる応力を低減できるとともに、振動音発生を抑制することができるようになっている。
【００３０】
また、アキュムレータ１６の支持脚１６ａとレシーバタンク１７の支持脚１７ａとが、長手方向が直交するように配置されることにより、支持プレート１８の面積を拡幅することなく、アキュムレータ１６とレシーバタンク１７とを配置することができ省スペースを行なうことができるとともに、ベース１の共通化を行なうことができるようになっている。
【符号の説明】
【００３１】
１  ベース
１ａ  底板部
１ｂ  フランジ
１ｃ  第一ビード
１ｄ  第二ビード
１ｅ  第三ビード
１ｇ  前部脚
１ｈ  後部脚
２  外胴
３ａ  前面上部パネル
３ｂ  前面下部パネル
４  右側パネル
５  天板
６  前面側支柱
７  後面側支柱
８  吸込口
９  吹出口
９ａ  ファンガード
１０  送風ファン
１０ａ  ファンモータ
１１  配管カバー
１２  熱交換器
１３  圧縮機ボックス
１４  圧縮機
１５  制御部
１５ａ  制御基板
１６  アキュムレータ
１６ａ  支持脚
１７  レシーバタンク
１７ａ  支持脚
１８  支持プレート
１８ａ  基部
１８ｂ  ビード
１８ｃ  フランジ
１８ｄ  固定用フランジ
１９  第一固定具
１９ａ  係止爪
２０  第二固定具
２０ａ  切欠き
２１  螺子孔
【図１】
0005994323.tif 000002
【図２】
0005994323.tif 000003
【図３】
0005994323.tif 000004
【図４】
0005994323.tif 000005
【図５】
0005994323.tif 000006
【図６】
0005994323.tif 000007
【図７】
0005994323.tif 000008
【図８】
0005994323.tif 000009